(57)【特許請求の範囲】
【請求項１】
矩形状をした表板部の一辺に当該表板部と同形状の裏板部が連設され、残る３辺にそれぞれ糊しろ片が連設されてなる展開形状の用紙からなり、前記表板部に対して前記裏板部を重なるように折り返し、前記糊しろ片のうちの２つを折り返して前記裏板部の外面側に貼り合わせることで作製されたＣＤホルダーにＣＤを挿入し、残りの糊しろ片を折り返して前記裏板部の外面側に貼り合わせることによりＣＤホルダーを収納状態とし、この収納状態のＣＤホルダーをその裏板部が紙面と向かい合うようにして所定頁に糊付けしたことを特徴とするＣＤ付き本。
【発明の詳細な説明】
【０００１】
【発明の属する技術分野】
本発明は、コンパクトディスク（ＣＤ）を付録として添付したＣＤ付き本に関するものである。
【０００２】
【従来の技術】
従来、雑誌等の書籍の付録としてＣＤを添付する場合、これらを厚紙やビニール袋などのパッケージに収納し、このパッケージを書籍のページ間に挟み込んで販売形態とすることが一般的に行われていた。しかしながら、この形態では搬送中等の流通段階においてＣＤを収納したパッケージが簡単に外れてしまい品質保証の点で問題がある上に、店頭での販売時には盗難に遭い易い等の問題が多く、最近では、このパッケージ自体を頁全体としたものを巻頭や巻末或いは任意頁に綴じ込んで製本した形態の平綴本或いは無線綴本、又はこのパッケージ自体を頁の一部として貼り合わせて一体化したものを巻頭や巻末或いは任意頁に綴じ込んで製本した形態の中綴本、平綴本或いは無線綴本が販売されている。
【０００３】
この綴じ込みタイプに使用されるＣＤホルダーのうち、パッケージ自体を頁全体とするものとしては板紙製のＣＤホルダーが、またパッケージ自体を頁の一部として貼り合わせて一体化するものとしては紙製の封筒状のＣＤホルダーが利用されている。
【０００４】
【発明が解決しようとする課題】
上記した板紙製のＣＤホルダーを綴じ込んだ本については、本全体が分厚く嵩張る上、ホルダー自体に撓み性がないことからＣＤを取り出した後もページを捲り難く、さらに板紙製であることから材料費面でコストがそれ程低くないという問題点がある。これに対して、封筒状のＣＤホルダーを貼り込んだ本については、かかる板紙製のＣＤホルダー特有の問題点はなく、多くの雑誌にＣＤが添付されるようになった現状では、雑誌としての使い勝手の優る封筒状のＣＤホルダーを貼り込んだ本の方が望ましい。
【０００５】
しかしながら、従来より一般に使用されている封筒状のＣＤホルダーは、図１に示すように、表板部１の両サイドに設けられた糊しろ片２，３を折り返して裏板部５の内面側に貼り合わせているので、ＣＤ６を収納して残りの糊しろ片４を折り返して蓋をすると、糊しろ片２，３がＣＤ６の記録面に当接する状態になっていた。したがって、このＣＤ６を収納した封筒を雑誌に綴じ込んだ場合、その雑誌を積み重ねたり束ねたりすると、ホルダーである封筒及び中のＣＤ６に荷重がかかり、その結果、糊しろ片２，３の段差によりＣＤ６の記録面に筋状のキズの付くことがあった。
【０００６】
本発明は、上記のような問題点に鑑みてなされたものであり、その目的とするところは、添付したＣＤの記録面にキズが付かないようにしたＣＤ付き本を提供することにある。
【０００７】
【課題を解決するための手段】
上記目的を達成するために、本発明に係るＣＤ付き本は、矩形状をした表板部の一辺に当該表板部と同形状の裏板部が連設され、残る３辺にそれぞれ糊しろ片が連設されてなる展開形状の用紙からなり、前記表板部に対して前記裏板部を重なるように折り返し、前記ＣＤホルダーにＣＤを挿入し、残りの糊しろ片を折り返して前記裏板部の外面側に貼り合わせることによりＣＤホルダーを収納状態とし、この収納状態のＣＤホルダーをその裏板部が紙面と向かい合うようにして所定頁に糊付けしたことを特徴とする。
【０００９】
【発明の実施の形態】
以下、図面を参照して本発明の実施形態について説明する。
【００１０】
図２は本発明のＣＤ付き本に用いるＣＤホルダーを形成する用紙の展開図であり、同図に示されるように、用紙１０は矩形状をした表板部１１の一辺に折線ａを介して裏板部１２が連設され、残る３辺にそれぞれ折線ｂ，ｃ，ｄを介して糊しろ片１３，１４，１５が連設されている。
【００１１】
この用紙１０から図３に示すＣＤホルダー２０が作製される。すなわち、表板部１１に対して裏板部１２を重なるように折線ａで折り返した後、対向する糊しろ片１３，１４をそれぞれ折線ｂ，ｃで折り返して裏板部１２の外面側に貼り合わせればよい。そして、残りの糊しろ片１５のところからＣＤ６を挿入し、当該糊しろ片１５を折り返して裏板部１２の裏面側に貼り合わせることでＣＤホルダー２０を収納状態にするものである。
【００１２】
また、図２の用紙１０から図４に示すＣＤホルダー２０が作製される。すなわち、表板部１１に対して裏板部１２を重なるように折線ａで折り返した後、隣接する糊しろ片１３，１５をそれぞれ折線ｂ，ｄで折り返して裏板部１２の外面側に貼り合わせればよい。そして、残りの糊しろ片１４のところからＣＤ６を挿入し、当該糊しろ片１４を折り返して裏板部１２の裏面側に貼り合わせることでＣＤホルダー２１を収納状態にするものである。
【００１３】
図５はこの収納状態のＣＤホルダー２０を中綴本の任意頁に貼り付けたＣＤ付き本を示す斜視図である。具体的には、裏板部１２が紙面と向かい合うようにしてホットメルトにより貼り付けている。なお、このＣＤ付き本を作製するには、中綴本を製本した後に、所定頁を開いて手作業で貼り付ければよい。或いは、製本時における丁合工程（鞍掛け）の前段階で折丁に貼り付けておくようにしてもよい。なお、この収納状態のＣＤホルダー２０は、図示の中綴本に限らず、平綴本、無線綴本等の他の形態の本に貼り付けることも勿論可能である。その場合も予め折丁に収納状態のＣＤホルダーを糊付けしておいてもよいし、製本した後で任意頁に貼り付けるようにしてもよい。このようにＣＤホルダー２０を裏板部１２で添付したＣＤ付き本においては、糊しろ片１２，１３，１４が裏側に隠れるので見苦しくない。また、糊しろ片１２，１３，１４がＣＤ６の記録面と当たらないので、荷重がかかってもＣＤ６の記録面は傷付かない。
【００１４】
【発明の効果】
以上説明したように、本発明のＣＤ付き本は、糊しろ片が表側に来るようにした封筒タイプのＣＤホルダーをその裏板部が紙面と向かい合うようにして所定頁に糊付けしたので、従来のように糊しろ片の段差がＣＤの記録面に当接することがないことから、本を積み重ねたり束ねたりしてＣＤホルダーに荷重がかかったとしてもＣＤに傷がつくようなことがない。また、糊しろ片が裏側に隠れるので見苦しくないという効果もある。
【図面の簡単な説明】
【図１】  従来の封筒タイプのＣＤホルダーの一例を示す斜視図である。
【図２】  本発明のＣＤ付き本で用いるＣＤホルダーを形成する用紙の展開図である。
【図３】  図２の用紙から作製したＣＤホルダーにＣＤを挿入する様子を示す斜視図である。
【図４】  図２の用紙から作製した別タイプのＣＤホルダーにＣＤを挿入する様子を示す斜視図である。
【図５】  ＣＤ付き本の一例を示す斜視図である。
【符号の説明】
１０  用紙
１１  表板部
１２  裏板部
１３，１４，１５  糊しろ片
２０  ＣＤホルダー
【図１】
0003745456.tif 000002
【図２】
0003745456.tif 000003
【図３】
0003745456.tif 000004
【図４】
0003745456.tif 000005
【図５】
0003745456.tif 000006